(57)【要約】【課題】防災シェルターの輸送に関し、標準的な商用航空カーゴを利用することができると共に、容易に、平面サイズへの方向の拡張が無限にできる可動式防災シェルターを提供する。【解決手段】住居部分は正三角柱の金属製のシェルターユニット６個から構成され、シェルターユニットは、それぞれ脚部の取り付け用パイプを有し、シェルターユニットは、少なくともフレームと、屋根板と、外側板と、底板を有し、フレームと外側板とは、少なくともリベット固定と溶接により、固定され、かつ防水性を有し、屋根板と、外側板と、底板は、断熱構造を有する。この構成により、正六角柱の住居部分は、使用するときの最小単位で有りながら、６個のシェルターユニットから構成されるために、シェルターユニットは、容易に搬送可能としている。また、防災シェルターとしての防水性、堅牢性が、達成されている。【選択図】図３
2012233324.tif 000002
【特許請求の範囲】
【請求項１】
災害時等に、住居として使用するシェルターであって、
少なくとも、使用するときは、正六角柱の住居部分と
前記住居部分に取り付けた脚と、
前記住居部分の上面に太陽電池と、
前記住居部分には前記脚の取り付け用パイプと
を有することを特長とする可動式防災シェルター。
【請求項２】
前記住居部分は正三角柱の金属製のシェルターユニット６個から構成され、前記シェルターユニットは、それぞれ前記脚の取り付け用の脚案内パイプを有し、前記シェルターユニットは、少なくともフレームと、屋根板と、外側板と、底板を有し、前記フレームと前記外側板とは、少なくともリベット固定と溶接により、固定され、かつ防水性を有し、前記屋根板と、前記外側板と、前記底板は、断熱構造を有する請求項１に記載の可動式防災シェルター。
【請求項３】
前記シェルターユニットは、商用航空カーゴの最大寸法であるサイズ以内、前記シェルターユニットは、正三角柱であることから、前記シェルターユニットを、前記シェルターユニットの上下方向を維持し、そのまま前記商用航空カーゴに入れる場合には、正三角形の一辺が最大２６９ｃｍ、高さの最大２４０ｃｍの形状を有し、前記シェルターユニットを、前記シェルターユニットの上下方向を維持せず、倒した形式で、前記商用航空カーゴに入れる場合には、正三角形の一辺が最大２６９ｃｍ、高さの最大３０５ｃｍの形状を有することを特長とする構造を有する請求項１又は２に記載の可動式防災シェルター。
【請求項４】
前記住居部分は、それぞれ、相互に接続可能であり、無限に、前記住居部分の平面方向への拡張をすることが出来る構造を有する請求項１又乃至３のいずれか１項に記載の可動式防災シェルター。
【請求項５】
前記住居部分は、完全密封型構造を基本とし、入口ドアを有し、前記入口ドアの開放時を除いては、防水性を確保する構成とし、前記入口ドア以外の開口部は、少なくとも、前記住居部分の上半部であり、前記屋根板に近い部分に配置された構造を有し、前記開口部には、防水フィルター及び、各種空気浄化用フィルターを配置した構造を有し、前記開口部として、少なくとも、吸気開口部、排気開口部を配置した構造を有し、前記屋根板と、前記外側板と、前記底板の内側には、断熱構造を有する請求項１又乃至４のいずれか１項に記載の可動式防災シェルター。
【請求項６】
前記防水フィルターは、金属製であり、正方形、長方形または円形の孔を多数持ち、正方形に一辺の長さが、３ｍｍ以下、長方形に於いては、短い辺の長さが３ｍｍ以下、円形に於いては直径３ｍｍ以下であり、前記防水フィルターは、水との接触角が１５０度以上のはっ水処理がされていることを特長とする構造を有し、かつ、取り付け前記防水フィルターの取り付け構造として、垂直線より、前記防水フィルターの上側を外部環境方向に傾けた構造を有し、その角度は、垂直線から、０〜４５度の範囲で構成する構造を有し、前記防水フィルタ―を複数枚で構成する構造を有する請求項１又乃至５のいずれか１項に記載の可動式防災シェルター。
【請求項７】
前記住居部分の前記屋根板と、前記外側板と、前記底板は、ステンレス製である構造を有する請求項１又乃至６のいずれか１項に記載の可動式防災シェルター。
【請求項８】
前記居住部分には、電気的エネルギーシステムを有し、前記電気的エネルギーシステムには、少なくとも前記太陽電池に加え、燃料電池、蓄電池、インバータ、電圧レギュレーター、コントローラー等が装備され、少なくとも、前記燃料電池、前記蓄電池、前記インバータは、前記住居部分の前記底板に近い前記住居部分の下側に構成されたエネルギー系収納箱に収納され、少なくとも前記燃料電池に必要な吸気ダクトと排気ダクトが、前記燃料電池に接続され、前記吸気ダクトと前記排気ダクトは、防水機能を持つ前記開口部の一つにそれぞれ接続された構造を有する請求項１又乃至７のいずれか１項に記載の可動式防災シェルター。
【請求項９】
前記住居部分を構成する前記シェルターユニットは、相互接続に於いて、前記シェルターユニット間の機械的固定は、ネジ止めとし、電気的接続は、全て、コネクターを有する構造とし、前記シェルターユニットを機械的固定した後は、防水性のコーキング剤で、シールする構造を有する請求項１又乃至８のいずれか１項に記載の可動式防災シェルター。
【請求項１０】
前記脚は、用途に対応し、前記脚を構成する脚体の交換により、長さを変更できる構造とし、前記脚には、固定設置のための、足部と、移動のためのキャスターを、選択的に交換できる構造とし、前記足部は、円形構造で、前記脚部とは、ヒンジ構造で接続される構造とし、前記キャスター取り付け時には、前記ヒンジ機能が働かないようにロック構造を有する請求項１又乃至９のいずれか１項に記載の可動式防災シェルター。
【請求項１１】
前記脚は、前記シェルターユニットの前記フレームに固定された脚案内パイプに前記底板から挿入して機能する構造とし、前記脚の上側には、ショックアブソーバーが取り付けた構造とし、前記可動式防災シェルター設置後は、前記ショックアブソーバーの機能を停止するために、前記脚案内パイプと前記脚を固定する構造を有する請求項１又乃至１０のいずれか１項に記載の可動式防災シェルター。
【請求項１２】
前記住居部分には、空気汚染検出センサー付きコントローラーが装備され、前記空気汚染検出センサー付きコントローラーが空気汚染を検出したときには、前記空気汚染検出センサー付きコントローラーに接続された前記吸気開口部のファンと前記排気開口部のファンを、運転する構成とし、前記空気汚染検出センサー付きコントローラーが、空気汚染を検出しないときには、前記吸気開口部のファンと前記排気開口部のファンの運転を停止し、前記吸気開口部を閉じる構成とし、前記吸気開口部には、空気清浄機が接続され、前記空気汚染検出センサー付きコントローラーが空気汚染を検出したときには、外部からの空気が、前記空気清浄機に送られ、前記空気汚染検出センサー付きコントローラーが空気汚染を検出しないときには、前記住居部分の空気が、前記空気清浄機に送られるように構成された構造を有する請求項１又乃至１１のいずれか１項に記載の可動式防災シェルター。
【請求項１３】
前記住居部分には、前記住居部分の機能として備え付けられた各種センサーと、前記各種センサーとは別に、モニター用各種センサーを装備した構造とし、前記モニター用各種センサーは、少なくともＣＯ２センサー、Ｏ２センサー、空気センサー、ガスセンサー、温度センサー、湿度センサー、ＧＰＳ端末、放射能センサー等である構成とし、前記モニター用各種センサーは、前記住居部分での監視用コントローラーと外部へのデータ伝送用のコミュニケーション手段を備え、外部からもモニターできる構成された構造を有する請求項１又乃至１２のいずれか１項に記載の可動式防災シェルター。
【請求項１４】
前記可動式防災シェルターの前記モニター用各種センサーのデータは、ネットワーク機能を通じて前記可動式防災シェルターの管理センターに送られる構成とし、前記管理センターには、データを分析する機能を持ち、データ分析結果により、前記可動式防災シェルターのメンテナンス及び、前記可動式防災シェルターの使用者のレスキュウを行う機能と、前記管理センターは、前記可動式防災シェルターが、出動待機のために、倉庫に設置されている場合にも対応し、前記可動式防災シェルターのメンテナンスが出来るように構成された構造を有する請求項１又乃至１３のいずれか１項に記載の可動式防災シェルター。
【請求項１５】
前記住居部分に設けられた、少なくとも前記吸気開口部、前記排気開口部の前記フィルターは、その用途により、選択的に構成することを特長とする構造を有する請求項１又乃至１４のいずれか１項に記載の可動式防災シェルター。
【請求項１６】
前記シェルターユニットのオプションとして、エアー・コンディショナーを設置する構造とし、前記エアー・コンディショナーの外部への熱の放出部分は、ヒートシンクとし、前記ヒートシンクには、熱を効率的に放出するための放熱ファンが取り付けられた構造とし、前記ヒートシンクと、前記放熱ファンの外気取り入れ口を設けた構造とし、前記前記ヒートシンクと前記放熱ファンと、前記外気取り入れ口の間には前記防水フィルターを設けた構造を有する請求項１又乃至１５のいずれか１項に記載の可動式防災シェルター。
【請求項１７】
前記住居部分は、別の用途として、気象・地震対応を構成し、前記モニター用各種センサーとして、少なくとも、地震計、気圧計、外気温度計、外気湿度計、風力計を有する構成とする構造を有する請求項１又乃至１６のいずれか１項に記載の可動式防災シェルター。
【請求項１８】
前記住居部分には、別の用途として、放射能対応を構成し、少なくとも前記吸気開口部、前記排気開口部には、放射線遮断フィルターが設置され、少なくとも前記屋根板と、前記外側板と、前記底板の内側には、放射能遮断板が、ネジ止めされた構造を有する請求項１又乃至１７のいずれか１項に記載の可動式防災シェルター。
【請求項１９】
前記住居部分の構造として、前記可動式防災シェルターの用途に応じ、前記住居部分には、上水道、下水道、ガス、電気、電話、インターネット等の外部からの供給接続可能な構造を有し、前記上水道、前記下水道、前記電気、前記ガス等の水ガス系は、前記底板に近い前記住居部分の下部に構成され、前記電気、前記電話、前記インターネット等の電気コミュニケーション系は、前記屋根板に近い前記住居部分の上部に構成された構造を有する請求項１又乃至１８のいずれか１項に記載の可動式防災シェルター。
【請求項２０】
前記住居部分は正三角柱のシェルターユニット６個から構成され、前記シェルターユニットは、それぞれ前記脚部の取り付け用パイプを有し、前記シェルターユニットは、少なくともフレームと、屋根板と、外側板と、底板を有し、前記フレームと前記外側板とは、固定され、かつ防水性を有し、前記屋根板と、前記外側板と、前記底板は、断熱構造を有し、前記住居部分の前記屋根板と、前記外側板と、前記底板、前記フレームの少なくともどれかは、プラスチックを含む非金属製である構造を有する請求項１および、請求項３又乃至６および、請求項８又乃至１９のいずれか１項に記載の可動式防災シェルター。
【請求項２１】
前記シェルターユニットの製造は、専用工場で行うものとし、前記脚を含む前記可動式防災シェルターの組み立て作業は、設置現場に近いサービスセンター等で行うものとし、前記サービスセンター等で行う前記組み立て作業は、少なくとも前記シェルターユニット間の機械的接続作業と、電気的接続作業と、防水コ―キング作業と、前記脚の組み立て作業とし、前記可動式防災シェルターの現場設置作業は、少なくともヘリコプター等での移設作業と、前記脚の可動部の固定作業等である請求項１又乃至２０のいずれか１項に記載の可動式防災シェルターの製造方法。
【発明の詳細な説明】
【技術分野】
【０００１】
本発明は、可動式防災シェルターに関し、特に、移動に便利な最小基本構成としてのシェルターユニットを組み合わせ、実用最小単位としての可動式防災シェルターを構成し、更に、可動防災シェルターを拡張することができるための可動式防災シェルターに関する。
【背景技術】
【０００２】
防災シェルターの構成については、様々なものが知られている。
特許公表２００９−５１０２８２号公報（特許文献１）には、搬送が行い易いように、標準的なＩＳＯ貨物コンテナで搬送できるサイズに収めているものである。
【先行技術文献】
【特許文献】
【０００３】
【特許文献１】特許公表２００９−５１０２８２号公報
【発明の概要】
【発明が解決しようとする課題】
【０００４】
しかしながら、特許公表２００９−５１０２８２号公報に記載されたシェルターは、ヘリコプター輸送に関して、十分、小型、軽量で、標準的なＩＳＯ貨物コンテナで搬送できるものであり、防災シェルターの緊急性を考えると、標準的な商用航空カーゴを利用することができないという問題と、拡張性が、不十分であるという問題がある。  
【０００５】
したがって、防災シェルターの輸送に関し、標準的な商用航空カーゴを利用することができると共に、容易に、平面サイズへの方向の拡張が無限にできる可動式防災シェルターを提供することを目的としている。
【課題を解決するための手段】
【０００６】
上述した課題を解決するために、本発明は、災害時等に、住居として使用するシェルターであって、少なくとも、使用するときは、正六角柱の住居部分と前記住居部分に取り付けた脚と、前記住居部分の上面に太陽電池と、前記住居部分には前記脚の取り付け用パイプとを有することを特長としている。この構成により、いかなる災害時環境において、その環境とは隔離した独立した生活環境を提供し、かつ、シェルターの標準となる可動式防災シェルターが、実現できる。
【０００７】
このように、構成された本発明においては、前記住居部分は正三角柱の金属製のシェルターユニット６個から構成され、前記シェルターユニットは、それぞれ前記脚の取り付け用の脚案内パイプを有し、前記シェルターユニットは、少なくともフレームと、屋根板と、外側板と、底板を有し、前記フレームと前記外側板とは、少なくともリベット固定と溶接により、固定され、かつ防水性を有し、前記屋根板と、前記外側板と、前記底板は、断熱構造を有する。この構成により、正六角柱の前記住居部分は、使用するときの最小単位で有りながら、６個の前記シェルターユニットから構成されるために、前記シェルターユニットは、容易に搬送可能としている。また、防災シェルターとしての防水性、堅牢性が、達成されている。
【０００８】
このように、構成された本発明においては、前記シェルターユニットは、商用航空カーゴの最大寸法であるサイズ以内、前記シェルターユニットは、正三角柱であることから、前記シェルターユニットを、前記シェルターユニットの上下方向を維持し、そのまま前記商用航空カーゴに入れる場合には、正三角形の一辺が最大２６９ｃｍ、高さの最大２４０ｃｍの形状を有し、前記シェルターユニットを、前記シェルターユニットの上下方向を維持せず、倒した形式で、前記商用航空カーゴに入れる場合には、正三角形の一辺が最大２６９ｃｍ、高さの最大３０５ｃｍの形状を有することを特長とする構造を有する。この構成により、緊急時には、容易に、世界中に搬送できる特長を有しながら、居住空間と十分な空間を確保する構造を有している。
【０００９】
このように、構成された本発明においては、前記住居部分は、それぞれ、相互に接続可能であり、無限に、前記住居部分の平面方向への拡張をすることが出来る構造を有する。この構成により、使用者のニーズにより、その居住空間を無限に拡大できる構造を有している。
【００１０】
このように、構成された本発明においては、前記住居部分は、完全密封型構造を基本とし、入口ドアを有し、前記入口ドアの開放時を除いては、防水性を確保する構成とし、前記入口ドア以外の開口部は、少なくとも、前記住居部分の上半部であり、前記屋根板に近い部分に配置された構造を有し、前記開口部には、防水フィルター及び、各種空気浄化用フィルターを配置した構造を有し、前記開口部として、少なくとも、吸気開口部、排気開口部を配置した構造を有し、前記屋根板と、前記外側板と、前記底板の内側には、断熱構造を有する。この構成により、災害時の洪水や津波に対応した防水構造と断熱構造を実現することにより、居住者が、安心して長期間滞在できるような構造を有している。
【００１１】
このように、構成された本発明においては、前記防水フィルターは、金属製であり、正方形、長方形または円形の孔を多数持ち、正方形に一辺の長さが、３ｍｍ以下、長方形に於いては、短い辺の長さが３ｍｍ以下、円形に於いては直径３ｍｍ以下であり、前記防水フィルターは、水との接触角が１５０度以上のはっ水処理がされていることを特長とする構造を有し、かつ、取り付け前記防水フィルターの取り付け構造として、垂直線より、前記防水フィルターの上側を外部環境方向に傾けた構造を有し、その角度は、垂直線から、０〜４５度の範囲で構成する構造を有し、前記防水フィルターを複数枚で構成する構造を有する。この構成により、水との接触角が１５０度以上のはっ水処理により、水滴は、球形に近い形状となり、水滴の直径は４〜５ｍｍとなる。したがって、開口部を３ｍｍ以下に設定することにより、水滴の侵入を防ぐことができる。更に、前記防水フィルターの取り付けに関し、上側を外部環境側に傾けることにより、水滴の侵入を低減することができる。前記防水フィルターにより、防水性を確保しながら、通気機能を確保することができる構造を有している。また、防水性を向上するために、防水フィルターを、2重、3重に設定することができる、
【００１２】
このように、構成された本発明においては、前記住居部分の前記屋根板と、前記外側板と、前記底板は、ステンレス製である構造を有する。この構造により、堅牢性を確保し、かつ、長期信頼性を確保する構造を有している。
【００１３】
このように、構成された本発明においては、前記居住部分には、電気的エネルギーシステムを有し、前記電気的エネルギーシステムには、少なくとも前記太陽電池に加え、燃料電池、蓄電池、インバータ、電圧レギュレーター、コントローラー等が装備され、少なくとも、前記燃料電池、前記蓄電池、前記インバータは、前記住居部分の前記底板に近い前記住居部分の下側に構成されたエネルギー系収納箱に収納され、少なくとも前記燃料電池に必要な吸気ダクトと排気ダクトが、前記燃料電池に接続され、前記吸気ダクトと前記排気ダクトは、防水機能を持つ前記開口部の一つにそれぞれ接続された構造を有する。この構成により、外部より、電気的エネルギーを供給することなく、長期に渡り、前記可動式防災シェルターの居住者が居住できる環境を提供することができる。
【００１４】
このように、構成された本発明においては、前記住居部分を構成する前記シェルターユニットは、相互接続に於いて、前記シェルターユニット間の機械的固定は、ネジ止めとし、電気的接続は、全て、コネクターを有する構造とし、前記シェルターユニットを機械的固定した後は、防水性のコーキング剤で、シールし、前記住居部分の防水性を確実なものとする構造を有する。この構成により、前記シェルターユニットの製造後は、簡単な作業で前記可動式防災シェルターの組み立て作業が行える構造を提供している。
【００１５】
このように、構成された本発明においては、前記脚は、用途に対応し、前記脚を構成する脚体の交換により、長さを変更できる構造とし、前記脚には、固定設置のための、足部と、移動のためのキャスターを、選択的に交換できる構造とし、前記足部は、円形構造で、前記脚部とは、ヒンジ構造で接続される構造とし、前記キャスター取り付け時には、前記ヒンジ機能が働かないようにロック構造を有する。この構成により、前記可動式防災シェルターの使用環境に応じて、前記脚の長さ変えることができる。また、現地での設置後に、移動する機能も提供している。
【００１６】
このように、構成された本発明においては、前記脚は、前記シェルターユニットの前記フレームに固定された脚案内パイプに前記底板から挿入して機能する構造とし、前記脚の上側には、ショックアブソーバーが取り付けた構造とし、前記可動式防災シェルター設置後は、前記ショックアブソーバーの機能を停止するために、前記脚案内パイプと前記脚を固定する構造を有する。この構成により、前記ショックアブソーバーにより、現地での設置、特にヘリコプター等で、前記可動式防災シェルターが地上に降下し、着地するときの衝撃を和らげる事ができる。更に、前記可動式防災シェルターの現地での使用時には、安定化を図るために、前記ショックアブソーバーの機能を停止することができる構造を提供する。
【００１７】
このように、構成された本発明においては、前記住居部分には、空気汚染検出センサー付きコントローラーが装備され、前記空気汚染検出センサー付きコントローラーが空気汚染を検出したときには、前記空気汚染検出センサー付きコントローラーに接続された前記吸気開口部のファンと前記排気開口部のファンを、運転する構成とし、前記空気汚染検出センサー付きコントローラーが、空気汚染を検出しないときには、前記吸気開口部のファンと前記排気開口部のファンの運転を停止し、前記吸気開口部を閉じる構成とし、前記吸気開口部には、空気清浄機が接続され、前記空気汚染検出センサー付きコントローラーが空気汚染を検出したときには、外部からの空気が、前記空気清浄機に送られ、前記空気汚染検出センサー付きコントローラーが空気汚染を検出しないときには、前記住居部分の空気が、前記空気清浄機に送られるように構成された構造を有する。この構成により、自動的に空気環境が良い状態に制御され、前記可動式防災シェルターの居住者が、安心して暮らせる空気環境を提供する。
【００１８】
このように、構成された本発明においては、前記住居部分には、前記住居部分の機能として備え付けられた各種センサーと、前記各種センサーとは別に、モニター用各種センサーを装備した構造とし、前記モニター用各種センサーは、少なくともＣＯ２センサー、Ｏ２センサー、空気センサー、ガスセンサー、温度センサー、湿度センサー、ＧＰＳ端末、放射能センサー等である構成とし、前記モニター用各種センサーは、前記住居部分での監視用コントローラーと外部へのデータ伝送用のコミュニケーション手段を備え、外部からもモニターできる構成された構造を有する。この構成により、前記可動式防災シェルターの居住者が、安心して暮らせるように、制御用のセンサーとは、別に、前記モニター用各種センサーを設け、前記可動式防災シェルター内で、監視することができるとともに、外部からも監視可能となっている。
【００１９】
このように、構成された本発明においては、前記可動式防災シェルターの前記モニター用各種センサーのデータは、ネットワーク機能を通じて前記可動式防災シェルターの管理センターに送られる構成とし、前記管理センターには、データを分析する機能を持ち、データ分析結果により、前記可動式防災シェルターのメンテナンス及び、前記可動式防災シェルターの使用者のレスキュウを行う機能と、前記管理センターは、前記可動式防災シェルターが、出動待機のために、倉庫に設置されている場合にも対応し、前記可動式防災シェルターのメンテナンスが出来るように構成された構造を有する。この構成により、前記可動式防災シェルターの居住者が、安心して暮らせるための機能を有するとともに、前記可動式防災シェルターの住居者がいない場合にも、対応していることができる。この機能は、災害時に備えスタンバイしている前記可動式防災シェルターの重要な機能であり、顧客に対して、新しい安心感とサービスを提供できる。
【００２０】
このように、構成された本発明においては、前記住居部分に設けられた、少なくとも前記吸気開口部、前記排気開口部の前記フィルターは、その用途により、選択的に構成することを特長とする構造を有する。この構成により、災害、報道、工事、砂漠開発、地震、津波、台風、戦争等のありとあらゆる過酷な環境下において、快適な住環境を提供するために、選択的に、前記フィルターを交換することができる。
【００２１】
このように、構成された本発明においては、前記シェルターユニットのオプションとして、エアー・コンディショナーを設置する構造とし、前記エアー・コンディショナーの外部への熱の放出部分は、ヒートシンクとし、前記ヒートシンクには、熱を効率的に放出するための放熱ファンが取り付けられた構造とし、前記ヒートシンクと、前記放熱ファンの外気取り入れ口を設けた構造とし、前記前記ヒートシンクと前記放熱ファンと、前記外気取り入れ口の間には前記防水フィルターを設けた構造を有する。この構成により、前記エアー・コンディショナーの新しい取り付け構造により、防水性を確保することができる。
【００２２】
このように、構成された本発明においては、前記住居部分は、別の用途として、気象・地震対応を構成し、前記モニター用各種センサーとして、少なくとも、地震計、気圧計、外気温度計、外気湿度計、風力計を有する構成とする構造を有する。この構成により、気象、地震対応の前記可動式防災シェルターを提供することができる。
【００２３】
このように、構成された本発明においては、前記住居部分には、別の用途として、放射能対応を構成し、少なくとも前記吸気開口部、前記排気開口部には、放射線遮断フィルターが設置され、少なくとも前記屋根板と、前記外側板と、前記底板の内側には、放射能遮断板が、ネジ止めされた構造を有する。この構成により、放射能対応の前記可動式防災シェルターを提供することができる。
【００２４】
このように、構成された本発明においては、前記住居部分の構造として、前記可動式防災シェルターの用途に応じ、前記住居部分には、上水道、下水道、ガス、電気、電話、インターネット等の外部からの供給接続可能な構造を有し、前記上水道、前記下水道、前記電気、前記ガス等の水ガス系は、前記底板に近い前記住居部分の下部に構成され、前記電気、前記電話、前記インターネット等の電気コミュニケーション系は、前記屋根板に近い前記住居部分の上部に構成された構造を有する。この構成により、長期滞在型の前記可動式防災シェルターを提供することができる。
【００２５】
このように、構成された本発明においては、前記住居部分は正三角柱のシェルターユニット６個から構成され、前記シェルターユニットは、それぞれ前記脚部の取り付け用パイプを有し、前記シェルターユニットは、少なくともフレームと、屋根板と、外側板と、底板を有し、前記フレームと前記外側板とは、固定され、かつ防水性を有し、前記屋根板と、前記外側板と、前記底板は、断熱構造を有し、前記住居部分の前記屋根板と、前記外側板と、前記底板、前記フレームの少なくともどれかは、プラスチックを含む非金属製である構造を有する。この構成により、用途に応じ、軽量化、低価格を図ることができる。
【００２６】
このように、構成された本発明においては、前記シェルターユニットの製造は、専用工場で行うものとし、前記脚を含む前記可動式防災シェルターの組み立て作業は、設置現場に近いサービスセンター等で行うものとし、前記サービスセンター等で行う前記組み立て作業は、少なくとも前記シェルターユニット間の機械的接続作業と、電気的接続作業と、防水コ―キング作業と、前記脚の組み立て作業とし、前記可動式防災シェルターの現場設置作業は、少なくともヘリコプター等での移設作業と、前記脚の可動部の固定作業等である。この構成により、精密な部分を先の工程で、つくり込む、後工程で、は、簡単な作業にすることにより、高品質な前記可動式防災シェルターを、世界に提供することができる。
【発明の効果】
【００２７】
本発明の可動式防災シェルターによれば、輸送時には、商業航空カーゴを含む、あらゆる輸送方法を選択することができるために、緊急対応時にも、安価で世界中に、輸送と設置が可能である。また、そのサイズにおいても、製造のための基本ユニットである前記シェルターユニットを最小単位とし、製造とその後の移動をし、実使用においての基本ユニットである前記可動式防災シェルターを最小単位とし、使用用途、使用環境に対応し、サイズを無限に拡張することができるとともに、その機能も、顧客が、選択することができる。このように、災害、報道、工事、砂漠開発、地震、津波、台風、戦争等のありとあらゆる過酷な環境下において、快適な住環境を提供することができる。
【図面の簡単な説明】
【００２８】
【図１】本発明の実施形態による可動式防災シェルターの外観図である。
【図２】本発明の実施形態による可動式防災シェルターの拡張イメージ図である。
【図３】本発明の実施形態による可動式防災シェルターのシェルターユニットにより、どのように住居部分が、構成されるかを表す図である。
【図４】本発明の実施形態による可動式防災シェルターのシェルターユニットのフレームの外観図である。
【図５】本発明の実施形態による可動式防災シェルターの商業航空カーゴに格納する場合の、縦に収納したイメージ図である。
【図６】本発明の実施形態による可動式防災シェルターの商業航空カーゴに格納する場合の、横に倒して収納したイメージ図である。
【図７】本発明の実施形態による可動式防災シェルターの吸気用開口部の外観図である。
【図８】本発明の実施形態による可動式防災シェルターの吸気用開口部の断面を示す図である。
【図９】本発明の実施形態による可動式防災シェルターの吸気用開口部の断面図である。
【図１０】本発明の実施形態による可動式防災シェルターの排気用開口部と排気用ダクトの取り付け形態を示す外観図である。
【図１１】本発明の実施形態による可動式防災シェルターのシェルターユニットの断面を示す図である。
【図１２】本発明の実施形態による可動式防災シェルターのシェルターユニットの断熱構造を表す断面図である。
【図１３】本発明の実施形態による可動式防災シェルターの防水フィルターの構造を示す図である。
【図１４】本発明の実施形態による可動式防災シェルターのエネルギー系の構成と取り付けイメージを示す図である。
【図１５】本発明の実施形態による可動式防災シェルターの燃料電池排気開口部の断面を示す図である。
【図１６】本発明の実施形態による可動式防災シェルターの燃料電池排気開口部の断面図である。
【図１７】本発明の実施形態による可動式防災シェルターのエネルギー系のシステムを表す図である。
【図１８】本発明の実施形態による可動式防災シェルターの脚の全体構成とシェルターユニットへの取り付けイメージを表す図である。
【図１９】本発明の実施形態による可動式防災シェルターの足部の詳細を表す図である。
【図２０】本発明の実施形態による可動式防災シェルターの足部の構成を表す組み立てイメージ図である。
【図２１】本発明の実施形態による可動式防災シェルターの足部をキャスターに交換した場合の外観図である。
【図２２】本発明の実施形態による可動式防災シェルターの脚上部の構成を表す組み立てイメージ図である。
【図２３】本発明の実施形態による可動式防災シェルターの吸気開口部に接続される空気清浄機のシステムを表す図である。
【図２４】本発明の実施形態による可動式防災シェルターの空気センサーコントローラーのシステム図である。
【図２５】本発明の実施形態による可動式防災シェルターのモニターリング用のセンサー群のシステム図である。
【図２６】本発明の実施形態による可動式防災シェルターのエアコン用収納箱の外観イメージ図である。
【図２７】本発明の実施形態による可動式防災シェルターのエアコン用収納箱の断面を示す図である。
【図２８】本発明の実施形態による可動式防災シェルターのエアコン用収納箱の断面図である。
【図２９】本発明の実施形態による可動式防災シェルターの放射能対応タイプの構造を表す図である。
【図３０】本発明の実施形態による可動式防災シェルターの外部への接続行う場合の接続構造を表す外観図である。
【発明を実施するための形態】
【００２９】
図１に示すように、本発明の実施形態による可動式防災シェルターは、外側板１と、ドア付き外側板２と、屋根板３と、底板４と、脚５と、足部６と、太陽電池７と、を有する。また、太陽電池７は、屋根板３に固定されている。この外観図が、可動式防災シェルターの基本的な使用単位となる。
【００３０】
図２に示すように、住居部分８は、図１の可動式防災シェルターの基本的な使用単位を、上方から、見た平面図である。本発明の実施形態による可動式防災シェルターは、住居部分８を基本的な使用単位とし、使用者の要望に応じて、拡張可能である。住居部分８は、図１の可動式防災シェルターの基本的な使用単位を、上方から、見た平面図である。
【００３１】
図３に示すように、本発明の実施形態による可動式防災シェルターは、シェルターユニット９が、６個組み合わさり、６角柱のとなり、基本的な使用単位を構成している。図３は、シェルターユニット９を、１個組み合わせる前の姿を表している。シェルターユニット９は、フレーム１０を、骨組みとして、構成されている。
【００３２】
図４に示すように、本発明の実施形態による可動式防災シェルターは、フレーム１０を、骨組みの基本として構成されている。
【００３３】
図５に示すように、本発明の実施形態による可動式防災シェルターは、商用空輸可能なサイズを実現する構造を有する。商用航空カーゴ１１のサイズは、Ｈ１が２９７ｃｍ、Ｈ２が２４０ｃｍ、Ｗ１が１５６ｃｍ、Ｗ２が２３３ｃｍ、Ｌが３０５ｃｍで構成されている。図５は、シェルターユニット９を、縦型配置したものであり、その場合のシェルターユニット９の最大寸法は、三角柱の一辺が、２６９ｃｍ、高さが、２４０ｃｍとなる。
【００３４】
図６に示すように、本発明の実施形態による可動式防災シェルターは、商用空輸可能なサイズを実現する構造を有する。図６の場合は、シェルターユニット９を横に倒して配置したものであり、具体的には、横置きシェルターユニット１２で表せる。その場合のシェルターユニット９の最大寸法は、三角柱の一辺が、２６９ｃｍ、高さが、３０５ｃｍとなる。
【００３５】
図７に示すように、本発明の実施形態による可動式防災シェルターは、吸気用開口部１３と、ファン付きダクト１４と、を有する。シェルターユニット９の上部にレイアウトされている構造を有する。
【００３６】
図８に示すように、本発明の実施形態による可動式防災シェルターは、吸気用開口部１３と、ファン付きダクト１４と、を有する。図８は、本発明の実施形態による可動式防災シェルターの吸気用開口部の断面を示す図である。
【００３７】
図９に示すように、本発明の実施形態による可動式防災シェルターは、吸気開口部１３の構成として、ファン付きダクト１４と、防水フィルター１５と、空気清浄化用フィルター１６と、ファン１７と、を有する。防水フィルターは、垂直面に対して、上側が外側に傾いた構造を有し、θの角度となっている。本発明では、０＜θ＜４５度の設定値を選択している。本発明による他の防水フィルターについても、同様な設定となっている。ファン１７は、空気清浄化用フィルター１６の存在により、吸引力を向上する目的で、設置している。
【００３８】
図１０に示すように、本発明の実施形態による可動式防災シェルターは、ファン付きダクト１４と、排気用開口部１８と、排気用ダクト１９と、排気用フィルター２０と、を有する。排気用フィルターが、ファン付きダクト１４のファンが停止している場合にも、外部の空気が、室内に流れ込まないように、構成されている。
【００３９】
図１１に示すように、本発明の実施形態による可動式防災シェルターのシェルターユニットの断面を示す図である。
【００４０】
図１２に示すように、本発明の実施形態による可動式防災シェルターは、外側板断熱材２１と、屋根板断熱材２２と、底板断熱材２３と、内壁２４と、天井２５と、床２６と、を有する。この構成により、断熱性が、保たれる構造を提供する。
【００４１】
図１３に示すように、本発明の実施形態による可動式防災シェルターは、防水フィルター１５を有する。防水フィルター１５は、通気孔２７が、多数レイアウトされていて、更に、水との接触角が１５０度以上のはっ水処理がされている。これにより、防水フィルター１５は、通気性と、防水性を両立した構造となっている。通気孔２７は、円形、正方形、長方形の３種類を設定する構造となっている。円形の場合は、直径３ｍｍ以下、正方形の場合は、一辺３ｍｍ以下、長方形の場合は、短辺３ｍｍ以下、長辺３ｍｍ〜１０ｍｍに設定する。防水フィルター１５の取り付け時には、必ず、長方形の場合は、長辺が、垂直になるようにレイアウトする。この理由は、重力と関係し、取り付け方向が違うと、防水性が確保できないからである。つまり、水滴が、防水フィルター１５の通気孔に衝突した場合に、横に広がることが分かっている。したがって、横に長い長方形の通気孔２７は、防水性が保てないことになる。一方、指定方向に取り付けられた防水フィルター１５は、防水性を確保しながら、最も、通気性の良い構造となっている。
【００４２】
図１４に示すように、本発明の実施形態による可動式防災シェルターは、燃料電池排気開口部２８と、燃料電池吸気開口部２９と、燃料電池排気ダクト３０と、燃料電池吸気ダクト３１と、エネルギー系収納箱３２と、バッテリー３３と、燃料電池３４と、制御部３５と、を有する。このシステムにより、太陽電池が動作しない環境においても、十分な電気エネルギーを供給することができる。また、エネルギー系収納箱３２は、下部に取り付けることにより、メンテナンス性を向上し、かつ、安全性を向上することができる。安全性とは、下部にあるために、住居部分８の重量バランスが良いことと、もし、爆発等のトラブルがあった場合にも、下部にあるために、室内に、汚染部質が、飛散しにくいということである。また、一方で、燃料電池排気開口部２８と燃料電池吸気開口部２９とは、上部に設定してある構造のために、防水性も確保し易い構造となっている。防水性が、一番懸念される環境とは、洪水等で、水量が増えた場合に、本発明の実施形態による可動式防災シェルターが、水に浸かることが想定される。その場合に、上部に開口部を設置することにより、防水性を確保できるということである。
【００４３】
図１５に示すように、本発明の実施形態による可動式防災シェルターの燃料電池排気開口部の断面を示す図である。
【００４４】
図１６に示すように、本発明の実施形態による可動式防災シェルターの燃料電池排気開口部の断面図である。他の開口部と同様な基本構造となっている。
【００４５】
図１７に示すように、本発明の実施形態による可動式防災シェルターは、太陽電池７と、バッテリー３３と、燃料電池３４と、電圧レギュレーター３６と、コントローラー３７と、インバータ３８と、１２Ｖ系機器３９と、１００Ｖ系機器４０と、を有する。電圧レギュレーター３６とコントローラー３７とインバータ３８は、図１４の制御部３５に内蔵される機能である。この構成により、１２Ｖ系機器３９と１００Ｖ系機器４０を、安心して利用できる環境を提供する。
【００４６】
図１８に示すように、本発明の実施形態による可動式防災シェルターは、ショックアブソーバー４１と、脚上部４２と、脚案内パイプ４３と、脚案内パイプ上取り付け体４４と、脚案内パイプ下取り付け体４５と、脚下部４６と、足部４７と、足部軸４８と、脚体８７と、によって構成される脚５を有する。これらの部品は、シェルターユニット９のフレーム１０に、図１８のように固定され、居住部分８の現場設置を可能とする。脚体８７は、シェルターユニット９の底板４に設けられた脚案内パイプ上取り付け体４４の脚案内パイプ４３の下端から、挿入され、脚上部４２を、脚体８７にネジ止めし、ショックアブソーバー４１を取り付ける構造を有している。この構造により、容易に、脚体８７の交換をすることにより、脚５の長さを変更できる構造を有している。また、脚上部４２と脚案内パイプ４３を、汎用部品であるホースバンド等で固定することにより、ショックアブソーバー４１の機能を容易に停止し、しっかりと、居住部分８を安定的に現場設置する構造を有する。
【００４７】
図１９に示すように、本発明の実施形態による可動式防災シェルターは、脚体８７と、足下部４６と、足部４７と、足部軸４８と、ストッパー４９と、を有する。この構成により、足部４７が、可動するために、住居部分８を、整地されていない場所にも、容易に設置できる。また、脚５も、その長さを調整できるために、現場の勾配や、環境に対応した設置を可能としている。
【００４８】
図２０に示すように、本発明の実施形態による可動式防災シェルターは、脚体８７と、脚下部４６と、足部軸４８と、ストッパー４９と、足部取り付け体５０と、足部板５１と、を有する。この構成は、脚５の足部の４７の詳細を表している。
【００４９】
図２１に示すように、本発明の実施形態による可動式防災シェルターは、脚体８７と、脚下部４６と、足部軸４８と、ストッパー４９と、キャスター５２と、回転止め５３と、を有する。この構成は、キャスター５２を装着した脚５の構成を表しており、回転止め５３により、キャスター５２が、確実に、脚下部４６に固定され、キャスターとして機能するように構成されている。
【００５０】
図２２に示すように、本発明の実施形態による可動式防災シェルターは、脚上部４２と、ガスケット５４と、脚接続体５５と、脚取り付けネジ５６と、脚体８７と、脚案内パイプ４３と、を有する。この構成は、ショックアブソーバー４１の下部の部分を詳しく説明するものであり、また、実際の脚５の組み立ての手順イメージを表すものでもある。脚体８７は、シェルターユニット９の底板４に設けられた脚案内パイプ上取り付け体４４の脚案内パイプ４３の下端から、挿入され、脚案内パイプ４３を通過し、図２２の脚体８７として、姿を表す。組み立ての手順は、脚体８７をしっかりと、脚案内パイプ４３から、上部方向に引き出した状態で、ガスケット５４を装着した脚上部４２を、脚体８７に挿入する。脚上部４２の寸法は、上部の最大径の部分を除き、その外径は、脚体８７の外径と同じ寸法に構成する。また、脚上部４２の上部の大きな外径を持つ部分は、その外径を、脚案内パイプ４３の内径より、十分に大きいものとし、これにより、脚５が、脚案内パイプ４３より、抜けてしまわないように、ストッパーの役割をはたすように構成する。ガスケット５４は、脚体８７の防水構造を実現するものであり、ガスケット５４が、脚案内パイプ４３と、脚体８７の間の隙間を、満たし、防水構造を実現する。次に、脚取り付けネジ５６を２本、取り付け、脚上部４２と脚体８７を接続固定する。脚取り付けネジ５６は、取り付け状態において、脚体８７の外径より、十分内側になるように構成する。この組み立てを完了すると、脚５は、脚案内パイプ４３の中をしゅう動することができる。脚上部４２の長さを変えることにより、しゅう動するストロークを変更することが可能である。
【００５１】
図２３に示すように、本発明の実施形態による可動式防災シェルターは、ファン付きダクト１４と、吸気切換え装置５７と、室内開口部５８と、空気清浄機５９、ダクト６０と、を有する。この構成により、外部よりの空気が、清浄になり、住居部分８の室内に送られる構造を実現している。
【００５２】
図２４に示すように、本発明の実施形態による可動式防災シェルターは、吸気切換え装置５７と、空気清浄機５９と、吸気用開口部１３のファン付きダクト１４に内蔵された吸気ファン６３と、排気用開口部１８のファン付きダクト１４に内蔵された排気ファン６３と、空気センサーコントローラー６１と、を有する。この構成により、空気汚染検出センサー付きコントローラー６１が空気汚染を検出したときには、空気汚染検出センサー付きコントローラー６１に接続された前記吸気開口部１３の吸気ファン６３と排気開口部１８の排気ファン６２を、運転する構成とし、空気汚染検出センサー付きコントローラー６１が、空気汚染を検出しないときには、吸気開口部１３の吸気ファン６３と排気開口部１８の排気ファン６２運転停止し、吸気切換え装置５７の働きにより、吸気開口部１３からの空気を遮断する構成とし、吸気開口部１３には、空気清浄機５９が接続され、空気汚染検出センサー付きコントローラー６１が空気汚染を検出したときには、外部からの空気が、空気清浄機５９に送られ、空気汚染検出センサー付きコントローラー６１が空気汚染を検出しないときには、吸気切換え装置５７の働きにより、住居部分８の室内の空気が、空気清浄機５９に送られ、清浄された室内の空気は、空気清浄機５９の室内開口部５８を通じ、住居部分８の室内に循環するように構成された構造を有する。これにより、住居部分には、浄化された空気が、いつも、満たされることになる。
【００５３】
図２５に示すように、本発明の実施形態による可動式防災シェルターは、住居部分のセンサーシステム９７と、管理センターのシステム９８と、温度センサー６４と、湿度センサー６５と、ＣＯ２センサー６６と、Ｏ２センサー６７と、ガスセンサー６８と、ＧＰＳ端末６９と、放射能センサー７０と、表示部７１と、コントローラー１、７２と、コントローラー２、７３と、ネットワーク７４と、コントローラー３、７５と、ＬＡＮ７６と、サーバー７７と、ＰＣ７８と、を有する。この構成により、住居部分８には、住居部分８の機能として備え付けられた各種センサーと、各種センサーとは別に、モニター用各種センサーを装備した構造とし、モニター用各種センサーは、少なくともＣＯ２センサー６６、Ｏ２センサー６７、ガスセンサー６８、温度センサー６４、湿度センサー６５、ＧＰＳ端末６９等である構成とし、モニター用各種センサーは、住居部分８での監視用コントローラーと外部へのデータ伝送用のコミュニケーション手段を備え、外部からもモニターできる構成された特長を有する。モニター用各種センサーのデータは、ネットワーク機能を通じて可動式防災シェルターの管理センターに送られる構成とし、管理センターには、データを分析する機能を持ち、データ分析結果により、可動式防災シェルターのメンテナンス及び、可動式防災シェルターの使用者のレスキュウを行う機能と、管理センターは、可動式防災シェルターが、出動待機のために、倉庫に設置されている場合にも対応し、可動式防災シェルターのメンテナンスが出来るように構成された特長を有する
【００５４】
図２６に示すように、本発明の実施形態による可動式防災シェルターは、エアコン用収納箱７８を有する。この構造により、防水性を確保したエアコンの設置が可能となる。
【００５５】
図２７に示すように、本発明の実施形態による可動式防災シェルターのエアコン用収納箱の断面を示す図である。
【００５６】
図２８に示すように、本発明の実施形態による可動式防災シェルターは、防水フィルター１５と、エアコン用収納箱７９と、エアコン用室内機８０と、エアコン用室外機８１と、冷媒パイプ８２と、ヒートシンク８３と、エアコンファン８４と、を有する。エアコン用収納箱７９は、フレーム１０に固定され、住居部分８の上部、つまり、屋根板３に近いところに配置される。この構造により、防水性を確保したエアー・コンディショナーの設置が可能となっている。エアー・コンディショナーの外部への熱の放出部分は、ヒートシンク８３とし、ヒートシンク８３には、熱を効率的に放出するための放熱ファン８４が取り付けられた構造とし、ヒートシンク８３と、放熱ファン８４の外気取り入れ口を設けた構造とし、ヒートシンク８３と放熱ファン８４と、外気取り入れ口の間には防水フィルター１５を設けた構造を有する
【００５７】
図２９に示すように、本発明の実施形態による可動式防災シェルターは、外側板１、外側板断熱材２１と、放射能遮断板８５と、放射能遮断板取り付けネジ８６と、内壁２４を有する。この構成により、容易に、放射能環境で使用可能な住居部分８を構成することができる。この断面構造は、屋根板３の断面、床板４の断面と共通な構成となっている。
【００５８】
図３０に示すように、本発明の実施形態による可動式防災シェルターは、電気コミュニケーション系接続箱８８と、水ガス系接続箱８９と、電気接続端子９０と、電話接続端子９１と、インターネット接続端子９２と、上水道接続口９３と、ガス接続口９４と、下水道１接続口９５と、下水道２接続口９６と、を有する。電気コミュニケーション系接続箱８８と水ガス系接続箱８９を分離して構成することにより、電気コミュニケーション系接続箱を上部にすることができ、安全で、確実な接続が可能となる。また、水ガス系接続箱８９は、下部に配置することにより、事故等に対して、安全な配置を実現している。
【符号の説明】
【００５９】
１          外側板
２          ドア付き外側板
３          屋根板
４          底板
５          脚
６          足部
７          太陽電池
８          住居部分
９          シェルターユニット
１０        フレーム
１１        商用航空カーゴ
１２        横置きシェルターユニット
１３        吸気用開口部
１４        ファン付きダクト
１５        防水フィルター
１６        空気浄化用フィルター
１７        ファン
１８        排気用開口部
１９        排気用ダクト
２０        排気用フィルター
２１        外側板断熱材
２２        屋根板断熱材
２３        底板断熱材
２４        内壁
２５        天井
２６        床
２７        通気孔
２８        燃料電池排気開口部
２９        燃料電池吸気開口部
３０        燃料電池排気ダクト
３１        燃料電池吸気ダクト
３２        エネルギー系収納箱
３３        バッテリー
３４        燃料電池
３５        制御部
３６        電圧レギュレーター
３７        コントローラー
３８        インバータ
３９        １２Ｖ系機器
４０        １００Ｖ系機器
４１        ショックアブソーバー
４２        脚上部
４３        脚案内パイプ
４４        脚案内パイプ上取り付け体
４５        脚案内パイプ下取り付け体
４６        脚下部
４７        足部
４８        足部軸
４９        ストッパー
５０        足部取り付け体
５１        足部板
５２        キャスター
５３        回転止め
５４        ガスケット
５５        脚接続体
５６        脚取り付けネジ
５７        吸気切換え装置
５８        室内開口部
５９        空気清浄機
６０        ダクト
６１        空気センサーコントローラー
６２        排気ファン
６３        吸気ファン
６４        温度センサー
６５        湿度センサー
６６        ＣＯ２センサー
６７        Ｏ２センサー
６８        ガスセンサー
６９        ＧＰＳ端末
７０        放射能センサー
７１        表示部
７２        コントローラー１
７３        コントローラー２
７４        ネットワーク
７５        コントローラー３
７６        ＬＡＮ
７７        サーバー
７８        ＰＣ
７９        エアコン用収納箱
８０        エアコン用室内機
８１        エアコン用室外機
８２        冷媒パイプ
８３        ヒートシンク
８４        放熱ファン
８５        放射能遮断板
８６        放射能遮断板取り付けネジ
８７        脚体
８８        電気コミュニケーション系接続箱
８９        水ガス系接続箱
９０        電気接続端子
９１        電話接続端子
９２        インターネット接続端子
９３        上水道接続口
９４        ガス接続口
９５        下水道１接続口
９６        下水道２接続口
９７        住居部分のセンサーシステム
９８        管理センターのシステム
【図１】
2012233324.tif 000003
【図２】
2012233324.tif 000004
【図３】
2012233324.tif 000005
【図４】
2012233324.tif 000006
【図５】
2012233324.tif 000007
【図６】
2012233324.tif 000008
【図７】
2012233324.tif 000009
【図８】
2012233324.tif 000010
【図９】
2012233324.tif 000011
【図１０】
2012233324.tif 000012
【図１１】
2012233324.tif 000013
【図１２】
2012233324.tif 000014
【図１３】
2012233324.tif 000015
【図１４】
2012233324.tif 000016
【図１５】
2012233324.tif 000017
【図１６】
2012233324.tif 000018
【図１７】
2012233324.tif 000019
【図１８】
2012233324.tif 000020
【図１９】
2012233324.tif 000021
【図２０】
2012233324.tif 000022
【図２１】
2012233324.tif 000023
【図２２】
2012233324.tif 000024
【図２３】
2012233324.tif 000025
【図２４】
2012233324.tif 000026
【図２５】
2012233324.tif 000027
【図２６】
2012233324.tif 000028
【図２７】
2012233324.tif 000029
【図２８】
2012233324.tif 000030
【図２９】
2012233324.tif 000031
【図３０】
2012233324.tif 000032